(57)【要約】      （修正有）【課題】袋や容器内に収納した汚物の臭いが周囲に漏れず、衛生的で長期間使用できる。【解決手段】筒状に形成されて筒の一端が開口され筒の他端が閉塞された汚物収納容器本体２と、汚物収納容器本体２の開口を塞ぐように当該開口部に着脱可能に取り付けられる蓋体３とを備える。また、汚物収納容器本体２内に収納される汚物４９と接触する汚物収納容器本体２の内面５１には、内面５１を覆うように形成された耐薬品性を有する樹脂による被覆層６１を備える。【選択図】図２
0003124254.tif 000002
【実用新案登録請求の範囲】
【請求項１】
金属により筒状に形成されて筒の一端が開口され筒の他端が閉塞された汚物収納容器本体と、金属により形成されて汚物収納容器本体の開口を密閉状態に塞ぐ蓋体とを備えたことを特徴とする汚物収納容器。
【請求項２】
汚物収納容器本体内に収納される汚物と接触する汚物収納容器本体の内面には、当該内面を覆うように形成された耐薬品性を有する樹脂による被覆層を備えたことを特徴とする請求項１に記載の汚物収納容器。
【請求項３】
被覆層がエポキシ樹脂により形成されたことを特徴とする請求項２に記載の汚物収納容器。
【考案の詳細な説明】
【技術分野】
【０００１】
本考案は、臭い漏れを防止でき、衛生的に長期間使用可能な汚物収納容器に関する。
【背景技術】
【０００２】
従来、犬や猫などのペットの飼い主がペットを連れて外出した場合に、ペットが大便や小便を洩らす場合がある。この場合、飼い主は、紙などで掴み取った大便、小便を拭き取った布巾や液吸収体などの汚物を適当な袋や容器に入れて持ち帰り、汚物をトイレに流したりして処理する。
【考案の開示】
【考案が解決しようとする課題】
【０００３】
しかしながら、上記袋や容器では、袋や容器内に収納した汚物の臭いが周囲に漏れる。また、上記袋や容器は、衛生的に長期間使用できるものではないという課題があった。
【課題を解決するための手段】
【０００４】
本考案による汚物収納容器は、金属により筒状に形成されて筒の一端が開口され筒の他端が閉塞された汚物収納容器本体と、金属により形成されて汚物収納容器本体の開口を密閉状態に塞ぐ蓋体とを備えたことを特徴とする。
汚物収納容器本体内に収納される汚物と接触する汚物収納容器本体の内面には、当該内面を覆うように形成された耐薬品性を有する樹脂による被覆層を備えたことも特徴とする。
被覆層がエポキシ樹脂により形成されたことも特徴とする。
【考案の効果】
【０００５】
本考案の汚物収納容器によれば、汚物収納容器本体の開口を蓋体で密閉状態に塞ぐことができる。特に、汚物収納容器本体と蓋体とがともに金属により形成された構成により、汚物収納容器本体と蓋体との互いの係合がより密接になり、密閉状態を精度良く維持できるので、臭い漏れ防止効果に優れた汚物収納容器を得ることができる。
汚物収納容器本体内に収納される汚物と接触する汚物収納容器本体の内面に、当該内面を覆うように形成された耐薬品性を有する樹脂による被覆層を備えたため、洗剤を用いて汚物収納容器本体の内側を入念に洗浄しても汚物収納容器本体の内面が磨耗しにくい。このため、汚物収納部となる汚物収納容器本体の内側を洗剤で入念に洗浄できて、汚物収納容器本体の内側を清潔に保て、衛生的に長期間使用可能な汚物収納容器を得ることができる。
金属により形成された汚物収納容器本体の内面に、金属との密着性に優れたエポキシ樹脂による被覆層を備えた構成としたので、被覆層の剥がれを少なくできる。したがって、洗剤を用いて汚物収納容器本体の内側を用いて入念に洗浄したとしても、エポキシ樹脂による被覆層で保護されて汚物収納容器本体の内面がより磨耗しにくい構造となる。よって、汚物収納部となる汚物収納容器本体の内側を洗剤によってより入念に洗浄できて、汚物収納容器本体の内側を清潔に保て、より長期間衛生的に使用可能な汚物収納容器を得ることができる。
【考案を実施するための最良の形態】
【０００６】
図１及び図２は本考案の最良の形態を示し、図１は汚物収納容器の汚物収納容器本体と蓋体とを分離して示し、図２は汚物収納容器を断面で示す。
【０００７】
図１，図２を参照し、汚物収納容器の構造を説明する。
汚物収納容器１は、汚物収納容器本体２と蓋体３とにより形成される。
汚物収納容器本体２及び蓋体３は、アルミニウム、ステンレスなどの金属により、一端有底円筒に形成され、円筒の内面５２；５２にはエポキシ樹脂による被覆層６１を備える。
【０００８】
汚物収納容器本体２は、筒の一端４が開口され筒の他端５が閉塞された円筒形状に形成される。つまり、汚物収納容器本体２は、一端４に円形の開口部６を備え、開口部６を経由する内側が有底円筒状の汚物収納部５０に形成された有底円筒収納体により形成される。汚物収納容器本体２の筒の長さ寸法は２００ｍ程度、汚物収納容器本体２の筒の内径寸法は１００ｍｍ程度、汚物収納容器本体２の筒を形成する金属板の厚さ寸法は１ｍｍ程度である。汚物収納容器本体２の開口部６（以下、本体側開口部６という）には本体側係合部７が形成される。
【０００９】
蓋体３は、筒の一端１２が開口され筒の他端１１が閉塞された円筒形状に形成される。つまり、蓋体３は、一端１２に開口部１３を備えた有底円筒蓋体に形成される。蓋体３の筒の長さは５０ｍｍ程度である。蓋体３の開口部１３（以下、蓋側開口部１３という）には、本体側係合部７と互いに係合することによって本体側係合部７とで嵌め合い係合やねじ係合による結合部を形成する蓋側係合部１４が形成される。
【００１０】
即ち、本体側係合部７と蓋側係合部１４とが嵌め合い係合やねじ係合によって互いに結合されることで本体側開口部６が蓋体３で塞がれる。
つまり、汚物収納容器１は、筒状に形成されて筒の一端が開口され筒の他端が閉塞された汚物収納容器本体２と、汚物収納容器本体２の開口を塞ぐように本体側開口部６に着脱可能に取り付けられる蓋体３とを備えた構成である。
【００１１】
図１；２に示すように、本体側係合部７が本体側開口部６の外周面からなる嵌め合い係合部により形成され、蓋側係合部１４が蓋側開口部１３の内周面からなる嵌め合い係合部により形成される場合には、嵌め合い係合部同士を互いに嵌め合わせた状態で汚物収納容器本体２と蓋体３とを互いに近づく方向に押し込むことによって、汚物収納容器本体２と蓋体３とが嵌め合い係合部により互いに結合され、汚物収納容器本体２の本体側開口部６が蓋体３によって塞がれる。
【００１２】
本体側係合部７が本体側開口部６の外周面に形成された図外のねじ係合部により形成され、蓋側係合部１４が蓋側開口部１３の内周面に形成された図外のねじ係合部により形成される場合には、ねじ係合部同士を互いに係合させて汚物収納容器本体２及び蓋体３が互いに回転不能となるまで回すことで汚物収納容器本体２と蓋体３とがねじ係合部により互いに結合され、汚物収納容器本体２の本体側開口部６が蓋体３によって塞がれる。
【００１３】
蓋体３の内側の筒底面２１には、本体側開口部６の円状開口縁２３と対応するように、環状のパッキン材２２が設けられる。パッキン材２２は、ウレタン、ゴムなどで形成される。パッキン材２２は、汚物収納容器本体２の本体側開口部６が蓋体３によって塞がれた場合に、本体側開口部６の円状開口縁２３と接触して蓋体３によって塞がれた汚物収納容器本体２の内部である汚物収納部５０を外部と遮断する。即ち、パッキン材２２は、汚物収納容器本体２の内側の汚物収納部５０と外部とを遮断し、汚物収納容器本体２の内側の汚物収納部５０を密閉状態に維持する。
【００１４】
汚物収納容器本体３内に収納される汚物４９と接触する汚物収納容器本体３の内面５１及び蓋体３の内面５２には、当該内面５１；５２を覆うようにエポキシ樹脂による被覆層６１が形成される。被覆層６１は、金属により形成された内面５１；５２にエポキシ樹脂を塗装やメッキあるいは蒸着などでコーティングすることによって形成される。よって、汚物収納部５０は、汚物収納容器本体２の内面５１を覆うように形成された被覆層６１によって区画された空間により形成される。
【００１５】
尚、汚物収納容器本体２の本体側開口部６が蓋体３によって塞がれた場合に、汚物収納容器本体２の筒の外周面と蓋体３の筒の外周面とが互いに段差の生じない面となるように、本体側開口部６の筒の外径寸法と蓋側開口部１３の筒の内径寸法とが設定される。
【００１６】
汚物収納容器１の使い方を説明する。
ペットが外出先や散歩中に大便や小便などの排泄物を排泄した場合に、飼い主が、汚物収納容器１の汚物収納容器本体２から蓋体３をはずし、その小便を拭き取った布巾や液吸収体、その大便などの汚物４９を、本体側開口部６の円状開口縁２３で形成された開口を経由して汚物収納容器本体２内の汚物収納部５０に入れた後に、汚物収納容器本体２の本体側開口部６を蓋体３で塞ぐ。汚物収納部５０に収納された汚物４９を処理する際には、汚物収納容器本体２から蓋体３をはずし、本体側開口部６の開口を経由して汚物収納部５０から汚物４９を出して、トイレなどに流して処理する。そして、汚物収納容器本体２の内側及び蓋体の内側を洗剤で洗った後に汚物収納容器１を再使用する。
【００１７】
汚物収納容器１によれば、汚物収納容器本体２の本体側開口部６の円状開口縁２３により形成された開口が安定しているので、汚物収納部５０に対する汚物４９の出し入れが容易となり、汚物４９の処理が容易となる。
汚物収納容器１によれば、汚物収納容器本体２と蓋体３とがともにアルミニウム、ステンレスなどの金属により形成された構成により、汚物収納容器本体２の本体側係合部７と蓋体３の蓋側係合部１４との互いの係合がより密接になり、密閉状態を精度良く維持できるので、臭い漏れ防止効果に優れた汚物収納容器１を得ることができる。また、パッキン材２２を備えたことにより、密閉状態をより精度良く維持でき、臭い漏れ防止効果を向上できる。金属としてアルミニウム、ステンレスなどの軽量の金属を使用したので、軽量化が図れ、持ち運びも容易となる。
汚物収納容器１によれば、汚物収納容器本体２の内面５１にエポキシ樹脂による被覆層６１を備えるので、耐薬品性、耐熱性に優れる。よって、汚物収納容器本体２の内側を、洗剤及び熱湯を用いて入念に洗浄しても汚物収納容器本体２の内面５１が磨耗しにくい。よって、汚物収納部５０となる汚物収納容器本体２の内側を洗剤及び熱湯を用いて入念に洗浄できるため、汚物収納容器本体２の内側を清潔に保て、衛生的に長期間使用可能な汚物収納容器１を得ることができる。
【００１８】
特に、金属により形成された汚物収納容器本体２の内面５１に、金属の内面５１との密着性に優れたエポキシ樹脂による被覆層６１を備えたので、被覆層６１の剥がれを少なくできる。このため、汚物収納容器本体２の内側を洗剤及び熱湯を用いて入念に洗浄したとしてもエポキシ樹脂による被覆層６１で保護されるため、汚物収納容器本体２の内面５１がより磨耗しにくい構造となった。よって、汚物収納部５０となる汚物収納容器本体２の内側を洗剤及び熱湯を用いて入念に洗浄できて、汚物収納容器本体２の内側を清潔に保て、より長期間衛生的に使用可能な汚物収納容器１を得ることができる。
【産業上の利用可能性】
【００１９】
汚物収納容器本体２の内面５１に、耐薬品性を有するポリエチレン樹脂や塩化ビニル樹脂などの合成樹脂により形成された被覆層を備えた構成の汚物収納容器でもよい。このような構成の汚物収納容器でも、汚物収納部となる汚物収納容器本体の内側を洗剤を用いて入念に洗浄できて、汚物収納容器本体の内側を清潔に保て、長期間衛生的に使用可能なものとなる。
【図面の簡単な説明】
【００２０】
【図１】汚物収納容器の汚物収納容器本体と蓋体とを分離して示した斜視図（最良の形態）。
【図２】汚物収納容器の断面図（最良の形態）。
【符号の説明】
【００２１】
１  汚物収納容器、２  汚物収納容器本体、３  蓋体、
６  本体側開口部（開口部）、５１  内面、６１  被覆層。
【図１】
0003124254.tif 000003
【図２】
0003124254.tif 000004